(57)【特許請求の範囲】
【請求項１】
赤ちゃんへの光の照射を遮るための乳母車用の幌であって、
前記幌は、上方に凸となる湾曲形状を有し、
前記幌には、前記幌の前方に突出する位置と、前記幌の内側または外側に収容される位置とが選択可能に設けられる日除け部材を備える、乳母車用の幌。
【請求項２】
前記日除け部材は、前記幌の前方に突出する位置においては、前記日除け部材の外面が上方に凸となる湾曲形状を有し、前記幌の内側または外側に収容される位置においては、前記日除け部材が思案点を超えて前記幌の内側または外側に折り返されることにより、前記日除け部材の外面が下方に凹または前記日除け部材の内面が上方に凸となる湾曲形状を有するように設けられる、請求項１に記載の乳母車用の幌。
【請求項３】
前記幌は、前後に配置されそれぞれ上方に凸となる湾曲形状を有する、前側フレーム部材および後側フレーム部材と、
前記前側および後側フレーム部材の間に配置される幌部材とを有し、
前記日除け部材は前記前側フレーム部材に設けられる、請求項１または２に記載の乳母車用の幌。
【請求項４】
前記日除け部材は複数設けられ、前記幌に対して並んで配置される、請求項１〜３のいずれかに記載の乳母車用の幌。
【請求項５】
前記日除け部材は、
前記幌の一方端から他方端にかけて連続して設けられる、請求項１〜４のいずれかに記載の乳母車用の幌。
【請求項６】
前記日除け部材には、開口部が設けられる、請求項１〜５のいずれかに記載の乳母車用の幌。
【請求項７】
前記日除け部材は、前記幌に対して着脱可能に設けられる、請求項１〜６のいずれかに記載の乳母車用の幌。
【請求項８】
前記日除け部材は、薄板状の弾性部材からなる、請求項１〜７のいずれかに記載の乳母車用の幌。
【発明の詳細な説明】
【０００１】
【発明の属する技術分野】
この発明は、乳母車用の幌に関し、より特定的には、幌の面積を容易に拡大することのできる乳母車用の幌に関する。
【０００２】
【従来の技術】
乳母車は、屋外で使用する機会が多いため、乳母車に載せる赤ちゃんを日光から守るために、乳母車には日除け用の幌が設けられる。図１２に、従来の乳母車に設けられる日除け用の幌を示す。乳母車１００Ｆの一般的な構成としては、前車輪１０および後車輪２０を有し、赤ちゃんを受け入れる座部３０および背もたれ部４０を支持する車体フレーム５０を備える。車体フレーム５０の上方には、乳母車１００Ｆを操作するためのハンドル６０が設けられる。
【０００３】
幌７０Ｂは，赤ちゃんを日光から守るために、赤ちゃんの頭部領域の上方を覆うように、上方に凸となる湾曲形状を有している。幌７０Ｂは車体フレーム５０に取付ける構造、背もたれ部４０に取付ける構造のいずれも採用可能である。
【０００４】
このように、幌７０Ｂを。乳母車１００Ｆを設けることにより、赤ちゃんを日光から守り、特に赤ちゃんの頭（脳）を守ることができる。
【０００５】
【発明が解決しようとする課題】
しかしながら、上記構成からなる乳母車１００Ｆの幌７０Ｂにおいては、赤ちゃんの視界を確保するために幌７０Ｂをあまり大きくすることができない。そのため、陽射しの入射角度によっては、赤ちゃんに直接日光があたることが考えられる。
【０００６】
したがって、この発明は、陽射しの入射角度に関係なく、赤ちゃんを直接日光から保護することのできる乳母車用の幌を提供することにある。
【０００７】
【課題を解決するための手段】
上記目的を達成すべく、この発明に基づいた乳母車用の幌においては、赤ちゃんへの光の照射を遮るための乳母車用の幌であって、上記幌は、上方に凸となる湾曲形状を有し、上記幌には、上記幌の前方に突出する位置と、上記幌の内側または外側に収容される位置とが選択可能に設けられる日除け部材を備える。
【０００８】
上記日除け部材を採用することにより、陽射しの入射角度に応じて、幌による斜光面積が拡大し、赤ちゃんを直接日光から確実に遮ることが可能になる。その結果、赤ちゃんの頭（脳）を守ることが可能となる。また、幌のみによって直接日光から遮ることが可能な場合には、日除け部材を幌の内側または外側に折り曲げるようにして収容することが可能であるため、赤ちゃんの視界が確保され赤ちゃんの快適性を失うことがない。
【０００９】
また、上記発明の好ましい形態としては、上記日除け部材は、上記幌の前方に突出する位置においては、上記日除け部材の外面が上方に凸となる湾曲形状を有し、上記幌の内側または外側に収容される位置においては、上記日除け部材が思案点を超えて上記幌の内側または外側に折り返されることにより、上記日除け部材の外面が下方に凹または上記日除け部材の内面が上方に凸となる湾曲形状を有するように設けられる。
【００１０】
また、上記発明の好ましい形態としては、上記幌は、前後に配置されそれぞれ上方に凸となる湾曲形状を有する、前側フレーム部材および後側フレーム部材と、上記前側および後側フレーム部材の間に配置される幌部材とを有し、上記日除け部材は上記前側フレーム部材に設けられる。
【００１１】
また、上記発明の好ましい形態としては、上記日除け部材は複数設けられ、上記幌に対して並んで配置される。また、上記発明の好ましい形態としては、上記日除け部材は、上記幌の一方端から他方端にかけて連続して設けられる。また、上記発明の好ましい形態としては、上記日除け部材には、開口部が設けられる。また、上記発明の好ましい形態としては、上記日除け部材は、上記幌に対して着脱可能に設けられる。また、上記発明の好ましい形態としては、上記日除け部材は、薄板状の弾性部材からなる。
【００１２】
上記各構成を採用することにより、薄板状の弾性部材からなる上記日除け部材が、上方に凸となる湾曲形状を有し、またこの弾性部材が前側フレーム部材に設けられることにより、幌の前方に突出する位置においては日除け部材の外面が上方に凸となる湾曲形状を有し、幌の内側または外側に収容される位置においては、日除け部材が思案点を超えて、日除け部材が弾性的に変形しながら日除け部材の外面が下方に凹または日除け部材の内面が上方に凸となる湾曲形状を有するように、幌の内面または外面に添ってその形態を変化させながら収容されるため、幌の前方に突出する位置と、幌の内側または外面に収容される位置とにおいて、弾性部材の形状を安定させることができる。また、日除け部材は比較的容易にその形態を変形させることができるため、容易に幌の前方に突出する位置と、幌の内側または外面に収容される位置との選択を行なうことができる。
【００１３】
また、日差しの差し込む方向に応じて日除け部材の形態も変化させることが可能になるため、赤ちゃんに対する快適性を損ねることもない。
【００１４】
【発明の実施の形態】
以下、この発明に基づいた乳母車用の幌の各実施の形態について、図を参照しながら説明する。
【００１５】
（実施の形態１）
まず、図１および図２を参照して、本実施の形態における乳母車用の幌の概略構成について説明する。なお、図１は乳母車１００Ａの全体構造を示す第１斜視図であり、図２は乳母車１００Ａの全体構造を示す第２斜視図である。なお、乳母車１００Ａの基本的構成は図１２に示す従来の乳母車１００Ｆと同じであるため、同一分部には同一符合を付し、その説明は省略する。
【００１６】
＜乳母車用の幌＞
乳母車１００Ａに設けられる幌７０Ａは、図１２に示す従来の乳母車１００Ｂと同様に、赤ちゃんを日光から守るために、赤ちゃんの頭部領域の上方を覆うように、上方に凸となる湾曲形状を有している。また、本実施の形態の特徴的構成として、幌７０Ａの前方に突出する位置と、幌７０Ａの内側に収容される位置とが選択可能に設けられる日除け部材１７０Ａが、幌７０Ａの略中央部に設けられている。図１においては、日除け部材１７０Ａが前方に突出する位置を示しており、図２においては、日除け部材１７０Ａが幌７０Ａの内側に収容される位置を示している。
【００１７】
図３〜図６に、幌７０Ａおよび日除け部材１７０Ａのみを図示する。図３は、日除け部材１７０Ａが前方に突出する位置を示し、図５は、その状態における縦断面を示す。また、図４は、日除け部材１７０Ａが幌７０Ａの内側に収容される位置を示し、図６は、その状態における縦断面を示す。
【００１８】
幌７０Ａは、図５および図６に示すように、前後に配置されそれぞれ上方に凸となる湾曲形状を有する、前側フレーム部材７０ｃおよび後側フレーム部材７０ｄとを備える。また、前側フレーム部材７０ｃおよび後側フレーム部材７０ｄの間には幌部材７０ａが配置され、後側フレーム部材７０ｄの後側には、後部幌７０ｂが設けられている。前側フレーム部材７０ｃおよび後側フレーム部材７０ｄには、比較的剛性のある部材を用いることが好ましく、たとえば、塩化ビニル性等の樹脂材料が用いられる。また、幌部材７０ａとしては、斜光性、紫外線遮断性を有するものであればどのような材質の適用も可能である。幌７０Ａの取付けは、図に示すものは、車体フレーム５０に取付ける爪を有するものを示しているが、この取付け構造に限定されるものではない。
【００１９】
日除け部材１７０Ａは、好ましくは幌７０Ａの前側フレーム部材７０ｃに対して内側に折り曲げ可能なように取付けられており、幌７０Ａと同様に上方に凸となる湾曲形状を有する。取付け構造は、特に限定されるものでなく、様々な取付け構造が採用される。日除け部材１７０Ａの部材としては、斜光性、紫外線遮断性を有するものであればどのような材質の適用も可能であるが、好ましくは、弾性を有する樹脂製の薄板材を用いることが好ましく、たとえば、塩化ビニル性等の樹脂材料が用いられる。
【００２０】
日除け部材１７０Ａは、図５に示すように、幌７０Ａの前方に突出する位置においては日除け部材１７０Ａの外面が上方に凸となる湾曲形状を有し、図６に示すように、幌７０Ａの内側に収容される位置においては、日除け部材１７０Ａが思案点を超えて、日除け部材１７０Ａが弾性的に変形しながら日除け部材１７０Ａの外面が下方に凹となる湾曲形状を有するように、幌７０Ａの内面に添ってその形態を変化させながら収容される。
【００２１】
＜作用・効果＞
上記構成に示すように、幌７０Ａに日除け部材１７０Ａを設けることにより、陽射しの入射角度に応じて、幌による斜光面積が拡大し、赤ちゃんを直接日光から確実に遮ることが可能になる。その結果、赤ちゃんの頭（脳）を守ることが可能となる。また、幌７０Ａのみによって直接日光から遮ることが可能な場合には、日除け部材１７０Ａを幌７０Ａの内側に折り曲げるようにして収容することが可能であるため、赤ちゃんの視界が確保され赤ちゃんの快適性を失うことがない。
【００２２】
また、薄板状の弾性部材からなる日除け部材１７０Ａが、上方に凸となる湾曲形状を有し、またこの日除け部材１７０Ａが前側フレーム部材７０ｃに設けられることにより、幌７０Ａの前方に突出する位置と、幌７０Ａの内側に収容される位置との間を日除け部材１７０Ａが思案点を超えて弾性的に変形しながらその形態を変化させるため、幌７０Ａの前方に突出する位置と、幌７０Ａの内側に収容される位置とにおいては、日除け部材１７０Ａの形状を安定させることができる。また、日除け部材１７０Ａは比較的容易にその形態を変形させることができるため、容易に幌７０Ａの前方に突出する位置と、幌７０Ａの内側に収容される位置との選択を行なうことができる。
【００２３】
（実施の形態２）
次に、図７を参照して、本実施の形態における乳母車用の幌の概略構成について説明する。なお、図７は乳母車１００Ｂの全体構造を示す斜視図である。なお、乳母車１００Ｂの基本的構成は図１２に示す従来の乳母車１００Ｆと同じであるため、同一分部には同一符合を付し、その説明は省略する。
【００２４】
＜乳母車用の幌＞
乳母車１００Ｂに設けられる幌７０Ａは、図１に示す実施の形態１の乳母車１００Ａと同じ構造である。相違点としては、実施の形態１の場合、日除け部材１７０Ａが幌７０Ａの略中央部に設けられているのに対して、本実施の形態の場合、幌７０Ａの前側フレーム部材７０ｃに添って、日除け部材１７０Ａと大きさは異なるが、基本的構成は同一の構成からなる日除け部材１７０Ｂ，１７０Ｃが設けられている点にある。
【００２５】
＜作用・効果＞
このように、中央部だけでなく、側面部にも日除け部材を設けるようにすることで、横方向から差し込む日光から赤ちゃんを保護することが可能になる。
【００２６】
（実施の形態３）
次に、図８を参照して、本実施の形態における乳母車用の幌の概略構成について説明する。なお、図８は乳母車１００Ｃの全体構造を示す斜視図である。なお、乳母車１００Ｃの基本的構成は図１２に示す従来の乳母車１００Ｆと同じであるため、同一分部には同一符合を付し、その説明は省略する。
【００２７】
＜乳母車用の幌＞
実施の形態２における乳母車１００Ｂに設けられる幌７０Ａと、本実施の形態における乳母車１００Ｃに設けられる幌７０Ａとの相違点は、乳母車１００Ｂにおいては、日除け部材が複数設けられる構造であるのに対して、乳母車１００Ｃにおいては、幌７０Ａの一端から他端にかけて連続する日除け部材１７０Ｄが設けられている点にある。なお、日除け部材１７０Ｄの構成は、日除け部材１７０Ａと大きさは異なるが、基本的構成は同一の構成からなる。
【００２８】
＜作用・効果＞
このように、幌７０Ａの一端から他端にかけて連続する日除け部材１７０Ｄを設けることにより、実施の形態２の場合と同様に、横方向から差し込む日光から赤ちゃんを保護することが可能になる。
【００２９】
（実施の形態４）
次に、図９を参照して、本実施の形態における乳母車用の幌の概略構成について説明する。なお、図９は乳母車１００Ｄの全体構造を示す斜視図である。なお、乳母車１００Ｄの基本的構成は図１２に示す従来の乳母車１００Ｆと同じであるため、同一分部には同一符合を付し、その説明は省略する。
【００３０】
＜乳母車用の幌＞
実施の形態１における乳母車１００Ａに設けられる幌７０Ａと、本実施の形態における乳母車１００Ｄに設けられる幌７０Ａとの相違点は、乳母車１００Ａにおいては、日除け部材が中央部に固定的に設けられる構造であるのに対して、乳母車１００Ｄにおいては、幌７０Ａの一端から他端にかけて日除け部材１７０Ｅを着脱可能に支持する着脱部材１７１が、幌７０Ａと日除け部材１７０Ｅとの間に設けられている点にある。着脱部材１７１としては、公知の様々な技術を適用することが可能であるが、たとえば、ファスナ、面ファスナ、ボタン等を用いることが可能である。なお、日除け部材１７０Ｅの構成は、日除け部材１７０Ａと大きさは異なるが、基本的構成は同一の構成からなる。
【００３１】
＜作用・効果＞
このように、着脱部材１７１を設けることにより、幌７０Ａの一端から他端にかけて、任意の位置に日除け部材１７０Ｅを取付けることができ、設けることにより、実施の形態２の場合と同様に、横方向から差し込む日光から赤ちゃんを保護することが可能になる。
【００３２】
（実施の形態５）
次に、図１０を参照して、本実施の形態における乳母車用の幌の概略構成について説明する。なお、図１０は乳母車１００Ｅの全体構造を示す斜視図である。なお、乳母車１００Ｅの基本的構成は図１２に示す従来の乳母車１００Ｆと同じであるため、同一分部には同一符合を付し、その説明は省略する。
【００３３】
＜乳母車用の幌＞
実施の形態１における乳母車１００Ａに設けられる幌７０Ａと、本実施の形態における乳母車１００Ｅに設けられる幌７０Ａとの相違点は、乳母車１００Ｅにおいては、中央部に開口部１７２を有する日除け部材１７０Ｆが用いられている点にある。なお、日除け部材１７０Ｆの構成は、日除け部材１７０Ａと大きさは異なるが、基本的構成は同一の構成からなる。
【００３４】
＜作用・効果＞
このように、日除け部材１７０Ｆに開口部１７２を設けることにより、赤ちゃんの視界を確保しながら、赤ちゃんへの直射日光の差し込みを和らげることが可能になる。なお、開口部１７２に透明部材を張るようにすることも可能である。
【００３５】
なお、上記各実施の形態においては、日除け部材が幌の内側に収容される場合について説明したが、日除け部材を幌の外側に収容する構造を採用することも可能である。たとえば、実施の形態１の乳母車１００Ａにこの構造を適用した場合、図１１に示すように、日除け部材１７０Ａの内面が上方に凸となる湾曲形状を有するように、幌７０Ａの外面に添ってその形態を変化させて収容される。
【００３６】
なお、上記各実施の形態における日除け部材１７０Ａ〜１７０Ｆの構造を適宜組合せて用いることも可能である。また、上記実施の形態においては、乳母車用の幌の場合について説明したが、同様の機構を有する育児器具、たとえば、ハイローベッド＆チェア、自動車用チャイルドシート、子守帯等にも適用することが可能である。
【００３７】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【００３８】
【発明の効果】
この発明に基づいた乳母車用の幌によれば、日除け部材を設けることにより、陽射しの入射角度に応じて、幌による斜光面積が拡大し、赤ちゃんを直接日光から確実に遮ることが可能になる。その結果、赤ちゃんの頭（脳）を守ることが可能となる。また、幌のみによって直接日光から遮ることが可能な場合には、日除け部材を幌の内側または外側に折り曲げるようにして収容することが可能であるため、赤ちゃんの視界が確保され赤ちゃんの快適性を損なうことがない。
【図面の簡単な説明】
【図１】  実施の形態１における乳母車１００Ａの全体構造を示す第１斜視図である。
【図２】  実施の形態１における乳母車１００Ａの全体構造を示す第２斜視図である。
【図３】  実施の形態１における日除け部材１７０Ａが前方に突出する位置を示す図である。
【図４】  実施の形態１における日除け部材１７０Ａが幌７０Ａの内側に収容される位置を示す図である。
【図５】  図３における状態の幌７０Ａおよび日除け部材１７０Ａの縦断面図である。
【図６】  図４における状態の幌７０Ａおよび日除け部材１７０Ａの縦断面図である。
【図７】  実施の形態２における乳母車１００Ｂの全体構造を示す斜視図である。
【図８】  実施の形態３における乳母車１００Ｃの全体構造を示す斜視図である。
【図９】  実施の形態４における乳母車１００Ｄの全体構造を示す斜視図である。
【図１０】  実施の形態５における乳母車１００Ｅの全体構造を示す斜視図である。
【図１１】  実施の形態１における日除け部材１７０Ａが幌７０Ａの外側に収容される場合を示す図である。
【図１２】  従来の乳母車１００Ｆの全体構造を示す斜視図である。
【符号の説明】
１０  前車輪、２０  後車輪、３０  座部、４０  背もたれ部、５０  車体フレーム、６０  ハンドル、７０Ａ，７０Ｂ  幌、７０ｃ  前側フレーム部材、７０ｄ  後側フレーム部材、７０ａ  幌部材、７０ｂ  後部幌、１００Ａ，１００Ｂ，１００Ｃ，１００Ｄ，１００Ｅ，１００Ｆ  乳母車、１７０Ａ，１７０Ｂ，１７０Ｃ，１７０Ｄ，１７０Ｅ，１７０Ｆ  日除け部材、１７１  着脱部材、１７２  開口部。
【図１】
0004489927.tif 000002
【図２】
0004489927.tif 000003
【図３】
0004489927.tif 000004
【図４】
0004489927.tif 000005
【図５】
0004489927.tif 000006
【図６】
0004489927.tif 000007
【図７】
0004489927.tif 000008
【図８】
0004489927.tif 000009
【図９】
0004489927.tif 000010
【図１０】
0004489927.tif 000011
【図１１】
0004489927.tif 000012
【図１２】
0004489927.tif 000013